【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
電子ファイルを管理する情報処理装置であって、
前記電子ファイルに対する表示要求に応じて、当該表示要求がされた電子ファイルを表示装置へ表示させるための制御を行う表示制御手段と、
前記表示制御手段により前記電子ファイルが前記表示装置へ表示されたセッションと同一セッション内のユーザによる操作であって、前記表示された電子ファイルとは別の電子ファイルに対する複数の操作の種別を監視する監視手段と、
前記監視手段による監視の結果、操作が得られた場合、前記表示された電子ファイルと、前記表示された電子ファイルとは別の電子ファイルとの関連を示す情報であって、当該操作を行ったユーザが属するグループ用のグループ関連情報を生成するグループ関連情報生成手段と、
前記グループ関連情報生成手段で生成されたグループ関連情報を前記表示された電子ファイルと対応付けて管理する管理手段とを有し、
前記表示制御手段は、表示要求があった前記電子ファイルに対応する前記グループ関連情報が前記管理手段により管理されている場合であって、当該グループに属するユーザから表示要求がなされた場合、当該グループ関連情報から所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とする情報処理装置。
【請求項２】
前記表示制御手段は、表示要求があった前記電子ファイルに対応する前記グループ関連情報であって、表示要求を行ったユーザが属する複数のグループに対応するグループ関連情報が前記管理手段により複数管理されている場合、予め定められている優先順位に基づいて、グループ関連情報を用いることを特徴とする請求項１に記載の情報処理装置。
【請求項３】
前記監視手段による監視の結果、操作が得られた場合、前記表示された電子ファイルと、前記表示された電子ファイルとは別の電子ファイルとの関連を示す情報であって、当該操作を行ったユーザ用の個人関連情報を生成する個人関連情報生成手段を更に有し、
前記管理手段は、前記個人関連情報生成手段により生成された個人関連情報を前記表示された電子ファイルと対応付けて管理し、
前記表示制御手段は、表示要求があった前記電子ファイルに対応する前記グループ関連情報または前記個人関連情報が前記管理手段に管理されている場合、当該グループ関連情報または個人関連情報の少なくともいずれか１つを用いて、所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とする請求項１または２に記載の情報処理装置。
【請求項４】
前記個人関連情報生成手段は、前記個人関連情報に含まれる関連度に、操作の種別毎に重み付けがされている値を、操作の種別に応じて付加して生成するものであり、
前記個人情報生成手段で生成された前記別の電子ファイルとの関連を示す関連度が所定
の条件を満たすかを判定する判定手段を更に有し、
前記表示制御手段は、表示要求がされた前記電子ファイルと、前記電子ファイルとは別の電子ファイルとの関連を示す関連度が、前記判定手段により所定の条件を満たすと判定された場合、前記管理手段により管理される個人関連情報を用いて、前記別の電子ファイルを特定する情報を表示させるための制御を行うことを特徴とする請求項３に記載の情報処理装置。
【請求項５】
前記複数の操作の種別には、前記表示された電子ファイルとは別の電子ファイルを検索する処理、前記表示された電子ファイルとは別の電子ファイルに対するアノテーションに係る処理、前記表示された電子ファイルとは別の電子ファイルに対する表示要求の処理のいずれかが含まれることを特徴とする請求項４に記載の情報処理装置。
【請求項６】
電子ファイルを管理する情報処理装置における情報処理方法であって、
前記電子ファイルに対する表示要求に応じて、当該表示要求がされた電子ファイルを表示装置へ表示させるための制御を行う表示制御ステップと、
前記表示制御ステップにより前記電子ファイルが前記表示装置へ表示されたセッションと同一セッション内のユーザによる操作であって、前記表示された電子ファイルとは別の電子ファイルに対する複数の操作の種別を監視する監視ステップと、
前記監視ステップによる監視の結果、操作が得られた場合、前記表示された電子ファイルと、前記表示された電子ファイルとは別の電子ファイルとの関連を示す情報であって、当該操作を行ったユーザが属するグループ用のグループ関連情報を生成するグループ関連情報生成ステップと、
前記グループ関連情報生成ステップで生成されたグループ関連情報を前記表示された電子ファイルと対応付けて管理する管理ステップとを含み、
前記表示制御ステップは、表示要求があった前記電子ファイルに対応する前記グループ関連情報が前記管理ステップにより管理されている場合であって、当該グループに属するユーザから表示要求がなされた場合、当該グループ関連情報から所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とする情報処理方法。
【請求項７】
電子ファイルを管理する情報処理装置において実行可能なプログラムであって、
前記電子ファイルに対する表示要求に応じて、当該表示要求がされた電子ファイルを表示装置へ表示させるための制御を行う表示制御手段、
前記表示制御手段により前記電子ファイルが前記表示装置へ表示されたセッションと同一セッション内のユーザによる操作であって、前記表示された電子ファイルとは別の電子ファイルに対する複数の操作の種別を監視する監視手段、
前記監視手段による監視の結果、操作が得られた場合、前記表示された電子ファイルと、前記表示された電子ファイルとは別の電子ファイルとの関連を示す情報であって、当該操作を行ったユーザが属するグループ用のグループ関連情報を生成するグループ関連情報生成手段、
前記グループ関連情報生成手段で生成されたグループ関連情報を前記表示された電子ファイルと対応付けて管理する管理手段として前記情報処理装置を機能させ、
前記表示制御手段は、表示要求があった前記電子ファイルに対応する前記グループ関連情報が前記管理手段により管理されている場合であって、当該グループに属するユーザから表示要求がなされた場合、当該グループ関連情報から所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とするプログラム。
【請求項８】
クライアント端末と、電子ファイルを管理する情報処理装置とが通信可能な情報処理システムであって、
前記電子ファイルに対する表示要求に応じて、当該表示要求がされた電子ファイルを表示装置へ表示させるための制御を行う表示制御手段と、
前記表示制御手段により前記電子ファイルが前記表示装置へ表示されたセッションと同一セッション内のユーザによる操作であって、前記表示された電子ファイルとは別の電子ファイルに対する複数の操作の種別を監視する監視手段と、
前記監視手段による監視の結果、操作が得られた場合、前記表示された電子ファイルと、前記表示された電子ファイルとは別の電子ファイルとの関連を示す情報であって、当該操作を行ったユーザが属するグループ用のグループ関連情報を生成するグループ関連情報生成手段と、
前記グループ関連情報生成手段で生成されたグループ関連情報を前記表示された電子ファイルと対応付けて管理する管理手段とを有し、
前記表示制御手段は、表示要求があった前記電子ファイルに対応する前記グループ関連情報が前記管理手段により管理されている場合であって、当該グループに属するユーザから表示要求がなされた場合、当該グループ関連情報から所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とする情報処理システム。
【手続補正２】
【補正対象書類名】明細書
【補正対象項目名】発明の名称
【補正方法】変更
【補正の内容】
【発明の名称】情報処理装置、情報処理方法、プログラム及び情報処理システム
【手続補正３】
【補正対象書類名】明細書
【補正対象項目名】００１３
【補正方法】変更
【補正の内容】
【００１３】
本発明はこのような問題点に鑑みなされたもので、電子ファイルに対する同じグループに属するユーザの操作に応じて電子ファイル同士を関連付け、そのグループに属するユーザから表示要求がなされた電子ファイルを表示する際は、関連する電子ファイルをユーザに識別可能に表示することを目的とする。
【手続補正４】
【補正対象書類名】明細書
【補正対象項目名】００１４
【補正方法】変更
【補正の内容】
【００１４】
本発明は、電子ファイルを管理する情報処理装置であって、前記電子ファイルに対する表示要求に応じて、当該表示要求がされた電子ファイルを表示装置へ表示させるための制御を行う表示制御手段と、前記表示制御手段により前記電子ファイルが前記表示装置へ表示されたセッションと同一セッション内のユーザによる操作であって、前記表示された電子ファイルとは別の電子ファイルに対する複数の操作の種別を監視する監視手段と、前記監視手段による監視の結果、操作が得られた場合、前記表示された電子ファイルと、前記表示された電子ファイルとは別の電子ファイルとの関連を示す情報であって、当該操作を行ったユーザが属するグループ用のグループ関連情報を生成するグループ関連情報生成手段と、前記グループ関連情報生成手段で生成されたグループ関連情報を前記表示された電子ファイルと対応付けて管理する管理手段とを有し、前記表示制御手段は、表示要求があった前記電子ファイルに対応する前記グループ関連情報が前記管理手段により管理されている場合であって、当該グループに属するユーザから表示要求がなされた場合、当該グループ関連情報から所定の条件を満たす前記表示要求がなされた電子ファイルとは別の電子ファイルを示す情報を抽出し、当該別の電子ファイルを示す情報を用いて、当該別の電子ファイルを特定する情報を表示させるための制御を行うことを特徴とする。
【手続補正５】
【補正対象書類名】明細書
【補正対象項目名】００１５
【補正方法】変更
【補正の内容】
【００１５】
本発明によれば、電子ファイルに対する同じグループに属するユーザの操作に応じて電子ファイル同士を関連付け、そのグループに属するユーザから表示要求がなされた電子ファイルを表示する際は、関連する電子ファイルをユーザに識別可能に表示することができる。